(57)【要約】【課題】フォトポリマーの熱収縮に起因して回折角が変化したときの影響を軽減するのに好適な映像表示装置を提供すること。【解決手段】画像を表示する表示素子と、表示素子に表示された画像が入射される導光部材と、導光部材に入射された画像を該導光部材内部で全反射させて所定位置に伝搬されるように回折する第一の透過型又は反射型ＨＯＥ（Holographic Optical Element）と、所定位置に伝搬された画像を使用者の瞳に向かって回折する第二の透過型又は反射型ＨＯＥとを有した映像表示装置であって、該第一又は第二の透過型又は反射型ＨＯＥを、記録層の熱収縮による回折角の変化の割合が所定の割合以下に収まるように、設計上の回折角が所定角度以上であるように設計した。【選択図】図３
2010204397.tif 000002
【特許請求の範囲】
【請求項１】
画像を表示する表示素子と、
前記表示素子に表示された画像が入射される導光部材と、
前記導光部材に入射された画像を該導光部材内部で全反射させて所定位置に伝搬されるように回折する第一のＨＯＥ（Holographic Optical Element）と、
前記所定位置に伝搬された画像を使用者の瞳に向かって回折する第二のＨＯＥと、
を有し、
前記第一又は第二のＨＯＥは透過型又は反射型ＨＯＥであり、該第一又は第二のＨＯＥの記録層の熱収縮による回折角の変化の割合が所定の割合以下に収まるように、該第一又は第二のＨＯＥによる設計上の回折角が所定角度以上であることを特徴とする映像表示装置。
【請求項２】
前記記録層の熱収縮率をα（単位：％）と定義し、前記設計上の回折角をθａ（単位：ｄｅｇ）と定義した場合に、次の条件（１）、（２）
１＜α＜５  ・・・（１）
６０≦θａ  ・・・（２）
を満たすことを特徴とする請求項１に記載の映像表示装置。
【請求項３】
画像を表示する表示素子と、
前記表示素子に表示された画像が入射される導光部材と、
前記導光部材に入射された画像を該導光部材内部で全反射させて所定位置に伝搬されるように回折する第一のＨＯＥと、
前記所定位置に伝搬された画像を使用者の瞳に向かって回折する第二のＨＯＥと、
を有し、
前記第一又は第二のＨＯＥは透過型又は反射型ＨＯＥであり、該第一又は第二のＨＯＥの記録層の熱収縮による回折角の変化の割合が所定の割合以下に収まるように、該第一又は第二のＨＯＥの入射端面と該記録層に記録される干渉縞の方向とがなす設計上の角度が所定角度以上であることを特徴とする映像表示装置。
【請求項４】
前記記録層の熱収縮率をα（単位：％）と定義し、前記第一又は第二のＨＯＥの入射端面と該記録層に記録される干渉縞の方向とがなす設計上の角度をθｂ（単位：ｄｅｇ）と定義した場合に、次の条件（３）、（４）
１＜α＜５  ・・・（３）
３０≦θｂ  ・・・（４）
を満たすことを特徴とする請求項３に記載の映像表示装置。
【請求項５】
前記記録層は、第一面と該第一面の裏面である第二面とを有し、
前記第一又は第二のＨＯＥの干渉縞は、前記第一面側から前記記録層に入射された第一の光束と、該第一の光束と１２０（単位：ｄｅｇ）以下の角度をなし、前記第二面側から該記録層に入射された第二の光束とが該記録層内で干渉することにより該記録層に記録されたものであることを特徴とする、請求項１から請求項４の何れかに記載の映像表示装置。
【請求項６】
前記第二のＨＯＥからの画像を虚像として使用者に観察させるように、請求項１から請求項５の何れかに記載の映像表示装置を該使用者の眼前で支持する支持手段を有したことを特徴とするヘッドマウントディスプレイ。
【発明の詳細な説明】
【技術分野】
【０００１】
本発明は、ユーザの頭部に装着される映像表示機器であり、表示素子の画像をホログラフィック光学素子（Holographic Optical Element、以下、「ＨＯＥ」と記す。）を用いて使用者の瞳に導くヘッドマウントディスプレイ（Head Mounted Display、以下、「ＨＭＤ」と記す。）、および該ヘッドマウントディスプレイを構成する映像表示装置に関連し、詳しくは、ＨＯＥの記録層の熱収縮に起因する回折角の変化率の影響を軽減するのに好適な映像表示装置およびＨＭＤに関する。
【背景技術】
【０００２】
近年、ユーザの頭部に装着される映像表示機器であるＨＭＤが一般に知られている。ＨＭＤは、液晶表示パネル等の表示素子上に表示された画像を光学的に拡大し、拡大された虚像として使用者に観察させるように構成されている。このようなＨＭＤには、使用者の眼前に支持される導光板に入射された表示素子からの画像の光を反射、回折させて使用者の瞳に効率良く導くため、ＨＯＥが備えられている。この種のＨＭＤの一例が特許文献１に開示されている。
【先行技術文献】
【特許文献】
【０００３】
【特許文献１】特開２００７−２１９１０６号公報
【発明の概要】
【発明が解決しようとする課題】
【０００４】
特許文献１に記載のＨＯＥには、ホログラム用感光材料としてフォトポリマーが使用されている。特許文献１の図５においては、ＨＯＥに入射された入射光に対する射出光のバランス（例えば物体光と参照光の単位面積当たりの強度バランスや、トレードオフ関係にある回折角度と導光部材の厚みとの設定バランスなど）や製造容易性などを考慮して、回折角が４５（ｄｅｇ）付近になるように反射型ＨＯＥが作製されている。具体的には、反射型ＨＯＥのフォトポリマー層に、互いに角度をなす同一波長の２光束を入射させて干渉させる。このとき干渉により生じた光強度の空間分布に従いモノマーが重合してフォトポリマーが凝集する。これにより、当該波長に対応するピッチを有すると同時にフォトポリマー層の入射面（又は射出面）に対して角度をなす干渉縞が、屈折率格子としてフォトポリマー層に形成されることとなる。
【０００５】
しかし、実際には、反射型ＨＯＥの作製の際にモノマーの重合反応を促進させるためベーキング処理を行ったとき、フォトポリマーが熱収縮する。干渉縞が例えばフォトポリマー層の膜厚方向に並ぶように記録されている場合には、該膜厚方向の収縮により干渉縞のピッチが狭くなることが知られている。本出願人は、かかる点に着目して、特許文献１に記載の反射型ＨＯＥのように干渉縞がフォトポリマー層の入射面に対して角度をなすように記録される場合には、フォトポリマーの熱収縮により干渉縞のピッチが狭くなる以外にも該角度が変化することを発見した。
【０００６】
フォトポリマー層の入射面に対して干渉縞がなす角度が熱収縮により変化した場合、反射型ＨＯＥに入射された入射光の回折角は、本来想定している設計上の角度からずれてしまう。そのため、表示素子の画像が意図した位置に、つまり使用者の瞳に効率良く導かれない弊害が生じる。反射型ＨＯＥのような小型精密光学機器は誤差に対する許容度が低いため、意図しない回折角の僅かなズレが画像性能を大きく劣化させる虞がある。
【０００７】
本発明は上記の事情に鑑みてなされたものであり、その目的とするところは、フォトポリマーの熱収縮に起因して回折角が変化したときの影響を軽減するのに好適な映像表示装置、およびＨＭＤを提供することにある。
【課題を解決するための手段】
【０００８】
上記の課題を解決する本発明の一形態に係る映像表示装置は、画像を表示する表示素子と、表示素子に表示された画像が入射される導光部材と、導光部材に入射された画像を該導光部材内部で全反射させて所定位置に伝搬されるように回折する第一のＨＯＥと、所定位置に伝搬された画像を使用者の瞳に向かって回折する第二のＨＯＥとを有しており、以下の特徴を持つ。すなわち、かかる映像表示装置が有する第一又は第二のＨＯＥは透過型又は反射型ＨＯＥであり、該第一又は第二のＨＯＥの記録層の熱収縮による回折角の変化の割合が所定の割合以下に収まるように、該第一又は第二のＨＯＥによる設計上の回折角が所定角度以上であることを特徴としている。
【０００９】
各ＨＯＥによる回折角を所定角度以上に設定することにより、フォトポリマーの熱収縮に起因した回折角の変化率、つまり回折角誤差が簡易に抑えられる。そのため、表示素子の画像を意図した位置に、つまり使用者の瞳に効率良く導かれるようになる。また、回折角を所定角度以上とし大きな角度に設定するほど、導光部材内部における画像の各反射ポイントが離れる。そのため、導光部材を薄型化させた場合であっても隣接する反射ポイントが重ならない設計が可能である。導光部材の薄型化により映像表示装置の軽量化が達成される。また、回折角を所定角度以上とし大きな角度に設定することにより、導光部材内部を伝搬される画像光の反射回数を削減することができる。反射回数の削減により導光部材内部を伝搬される画像光の光路が短くなるため、内部拡散による光量損失が低減する。このため使用者は低損失の明るい画像を観察することができる。
【００１０】
ここで、本発明に係る映像表示装置は、第一又は第二のＨＯＥの記録層の熱収縮率をα（単位：％）と定義し、該第一又は第二のＨＯＥによる設計上の回折角をθａ（単位：ｄｅｇ）と定義した場合に、次の条件（１）、（２）
１＜α＜５  ・・・（１）
６０≦θａ  ・・・（２）
を満たす構成であることが望ましい。かかる構成によれば、回折角の変化率を例えば２．５％以下といった極めて低い水準に抑えることができる。
【００１１】
また、上記の課題を解決する本発明の別の形態の映像表示装置は、画像を表示する表示素子と、表示素子に表示された画像が入射される導光部材と、導光部材に入射された画像を該導光部材内部で全反射させて所定位置に伝搬されるように回折する第一のＨＯＥと、所定位置に伝搬された画像を使用者の瞳に向かって回折する第二のＨＯＥとを有しており、以下の特徴を持つ。すなわち、かかる映像表示装置が有する第一又は第二のＨＯＥは透過型又は反射型ＨＯＥであり、該第一又は第二のＨＯＥの記録層の熱収縮による回折角の変化の割合が所定の割合以下に収まるように、該第一又は第二のＨＯＥの入射端面と該記録層に記録される干渉縞の方向とがなす設計上の角度が所定角度以上であることを特徴としている。
【００１２】
上記構成の映像表示装置においては、第一又は第二のＨＯＥの記録層の熱収縮率をα（単位：％）と定義し、該第一又は第二のＨＯＥの入射端面と該記録層に記録される干渉縞の方向とがなす設計上の角度をθｂ（単位：ｄｅｇ）と定義した場合に、次の条件（３）、（４）
１＜α＜５  ・・・（３）
３０≦θｂ  ・・・（４）
を満たすことが好ましい。
【００１３】
第一又は第二のＨＯＥの記録層は第一面と該第一面の裏面である第二面とを有しており、ＨＯＥの干渉縞は、例えば第一面側から記録層に入射された第一の光束と、該第一の光束と１２０（単位：ｄｅｇ）以下の角度をなし、第二面側から該記録層に入射された第二の光束とが該記録層内で干渉することにより該記録層に記録されたものである。
【００１４】
また、上記の課題を解決する本発明の一形態に係るＨＭＤは、第二のＨＯＥからの画像を虚像として使用者に観察させるように、上記の何れかに記載の映像表示装置を該使用者の眼前で支持する支持手段を有したことを特徴としている。
【発明の効果】
【００１５】
本発明に係る映像表示装置およびＨＭＤによれば、フォトポリマーの熱収縮に起因する回折角誤差が良好に抑えられる。そのため、表示素子の画像を使用者の瞳に高い利用効率で導くことが可能である。
【図面の簡単な説明】
【００１６】
【図１】本発明の実施形態のＨＭＤの構成を示す斜視図である。
【図２】本発明の実施形態のＨＭＤの構成を模式的に示す側面図である。
【図３】本発明の実施形態のＨＯＥの製造プロセスを説明するための図である。
【発明を実施するための形態】
【００１７】
以下、図面を参照して、本発明の実施形態について説明する。
【００１８】
図１（ａ）、図１（ｂ）はそれぞれ、本実施形態のＨＭＤ１の構成を示す正面側斜視図、背面側斜視図である。図１（ａ）及び図１（ｂ）に示されるように、使用者の頭部に装着される眼鏡型フレーム２の正面部には、眼鏡レンズ３が取り付けられる。眼鏡型フレーム２の取付部２ａには、画像を照明するためのバックライト４が取り付けられる。眼鏡型フレーム２のツル部分には、画像を映し出すための信号処理機器５、及び音声を再生するスピーカー６が設けられている。表示素子ユニット（例えば液晶表示素子）２０は、信号処理機器５の回路に接続された配線と一体化されたアーム７により、使用者の両眼中央に位置し、かつバックライト４の光軸線上に表示素子ユニット２０の略中心部が配置するように保持される。更に、表示素子ユニット２０は、光学部材（例えばＳＦ１１）からなる導光板１０の略中央部に位置するように、導光板１０に対して相対的に固定される。導光板１０は、アーム７により、使用者の眼前に位置するように支持される。導光板１０の第一面１０ａの略中央には表示素子ユニット２０が、使用者の眼前に位置する箇所にはＨＯＥ３２Ｒ、３２Ｌが、それぞれ接着等により第一面１０ａ上に密着固定されている。
【００１９】
図２は、本実施形態のＨＭＤ１の構成を模式的に示す側面図である。なお、図２においては、図面を明瞭化するため、発明の主要部のみが示されており、眼鏡型フレーム２等は図示省略されている。図２に示されるように、ＨＭＤ１は、表示素子２４と導光板１０の中心を結ぶ中心線Ｘを挟み左右対称構造を有している。また、表示素子２４から導光板１０に入射された各波長の光は、後述するように二分割されて使用者の右眼、左眼のそれぞれに導光される。各眼に導光される各波長の光の光路も中心線Ｘを挟み左右対称である。
【００２０】
図２に示されるように、バックライト４は、レーザ光源２１、拡散光学系２２、およびマイクロレンズアレイ２３を有する。表示素子ユニット２０は、表示素子２４を有する画像生成ユニットであり、例えばフィールドシーケンシャル（Field Sequential）方式で駆動する。レーザ光源２１は、Ｒ（ＨｅＮｅレーザ）、Ｇ（Ｈｄ：ＹＡＧレーザ）、Ｂ（Ｈｅ−Ｃｄレーザ）の各波長に対応したレーザ光源を有し、各波長の光を高速（例えば１８０Ｈｚ）で順次照射する。各波長の光は、拡散光学系２２、マイクロレンズアレイ２３に入射され、光量ムラのない均一な光束に変換されて表示素子２４に入射される。
【００２１】
表示素子２４は、例えばフィールドシーケンシャル方式で駆動する透過型液晶（LCD T-LCOS）パネルである。表示素子２４は、各波長の光に、信号処理機器５の画像エンジン（不図示）が生成する画像信号に応じた変調をかける。表示素子２４の有効領域の画素で変調された各波長の光は、所定の光束断面（該有効領域と略同じ形状）をもって導光板１０に入射される。なお、表示素子２４は、例えばＤＭＤ（Digital Mirror Device）や反射型液晶（LCOS）パネル、ＭＥＭＳ（Micro Electro Mechanical Systems）等の他の形態の表示素子に置換することも可能である。
【００２２】
なお、光利用効率を向上させるため、拡散光学系２２とマイクロレンズアレイ２３との間に拡散光学系２２からの入射光を特定の偏光状態にする偏光板を配置してもよい。また、表示素子ユニット２０は、フィールドシーケンシャル方式の表示素子に限らず、同時式の表示素子（射出面前面に所定の配列のＲＧＢカラーフィルタを有する表示素子）の画像生成ユニットとしてもよい。
【００２３】
図２に示されるように、表示素子２４により変調された各波長の光は、第一面１０ａから導光板１０内部に順次入射される。導光板１０の第二面１０ｂ上には、ＨＯＥ５２Ｒと５２Ｌが積層されている。ＨＯＥ５２Ｒおよび５２Ｌは、例えば矩形状を有する反射型の体積位相型ＨＯＥであって、Ｒ、Ｇ、Ｂの各波長の光に対応する干渉縞が各々に記憶されたフォトポリマーを三枚積層した構成を有する。すなわち、ＨＯＥ５２Ｒおよび５２Ｌは、Ｒ、Ｇ、Ｂの各波長の光を反射しそれ以外の波長の光を透過する波長選択機能を有するように構成されている。
【００２４】
また、ＨＯＥ５２Ｒおよび５２Ｌは、Ｒ、Ｇ、Ｂの各波長の光に対応する干渉縞が記録された一層のフォトポリマーとしてもよい。説明を加えると、使用波長がｎ（ｎは自然数）種類ある場合には、ＨＯＥ５２Ｒおよび５２Ｌの層構造は、各波長の光に対応する干渉縞が各々に記憶されたフォトポリマーをｎ枚積層したもの、或いは、各波長の光に対応する干渉縞が記憶された一層のフォトポリマーとなる。
【００２５】
また、二層のフォトポリマーによりＨＯＥ５２Ｒおよび５２Ｌを構成し、Ｒ、Ｇ、Ｂの各波長の光に対応する波長選択機能を付与することも可能である。例として、Ｒ、Ｇの各波長の光に対応する干渉縞が記憶された一層のフォトポリマーと、Ｂの波長の光に対応する干渉縞が記憶された一層のフォトポリマーの計二層によりＨＯＥ５２Ｒおよび５２Ｌを構成することが考えられる。なお、ＨＯＥ３２Ｒおよび３２Ｌも反射型の体積位相型ＨＯＥであり、ＨＯＥ５２Ｒおよび５２Ｌと干渉縞パターンが相違するものの、ＨＯＥ３２Ｒおよび３２Ｌと同一の層構造を有する。ＨＯＥ３２Ｒおよび３２Ｌと５２Ｒおよび５２Ｌは、例えば干渉縞パターンのピッチが略同一であってもよい。
【００２６】
ＨＯＥ５２Ｒと５２Ｌは、互いの中心が一致し、かつ干渉縞パターンが１８０（ｄｅｇ）反転された状態で積層されている。そして、積層された状態でその中心が中心線Ｘと一致するように導光板１０の第二面１０ｂ上に接着等により密着固定されている。ＨＯＥ５２Ｒ、５２Ｌには、表示素子２４により変調された各波長の光が導光板１０を介して順次入射される。
【００２７】
ＨＯＥ５２Ｒ、５２Ｌはそれぞれ、順次入射される各波長の光を右眼、左眼に導くため所定の角度を付与して回折する。ＨＯＥ５２Ｒ、５２Ｌにより回折された各波長の光はそれぞれ、導光板１０と空気との界面で全反射を繰り返して導光板１０内部を伝搬しＨＯＥ３２Ｒ、３２Ｌに入射される。ここで、ＨＯＥ５２Ｒ、５２Ｌは、各波長の光に同一の回折角を付与する。そのため、導光板１０に対する入射位置が略同一の（あるいは別の表現によれば、表示素子２４の有効領域内の略同一座標から射出された）全ての波長の光は、導光板１０内部の略同一の光路を伝搬して、ＨＯＥ３２Ｒ、３２Ｌ上の略同位置に入射する。別の観点によれば、ＨＯＥ５２Ｒ、５２Ｌは、表示素子２４の有効領域に表示された画像の該有効領域内における画素位置関係がＨＯＥ３２Ｒ、３２Ｌ上で忠実に再現されるようにＲＧＢの各波長の光を回折する。
【００２８】
このように本実施形態においてＨＯＥ５２Ｒ、５２Ｌはそれぞれ、表示素子２４の有効領域内の略同一座標から射出された全ての波長の光をＨＯＥ３２Ｒ、３２Ｌ上の略同位置に入射させるように回折する。一方、別の実施形態においては、ＨＯＥ５２Ｒ、５２Ｌは、表示素子２４の有効領域内で相対的にずらされた本来同一画素をなす全ての波長の光をＨＯＥ３２Ｒ、３２Ｌ上の略同位置に入射させるように回折するように構成されてもよい。
【００２９】
ＨＯＥ３２Ｒ、３２Ｌ上に入射された各波長の光は、ＨＯＥ３２Ｒ、３２Ｌにより回折されて導光板１０の第二面１０ｂから外部に略垂直に順次射出される。このように略平行光として射出された各波長の光はそれぞれ、表示素子２４により生成された画像の虚像として使用者の右眼網膜、左眼網膜に結像する。また、使用者が拡大画像の虚像を観察できるように、ＨＯＥ３２Ｒ、３２Ｌにコンデンサ作用を付与してもよい。すなわち、ＨＯＥ３２Ｒ、３２Ｌの周辺領域に入射された光ほど瞳の中心に寄るように角度をもって射出され使用者の網膜に結像するようにしてもよい。あるいは、使用者に拡大画像の虚像を観察させるために、ＨＯＥ５２Ｒ、５２Ｌは、ＨＯＥ３２Ｒ、３２Ｌ上での画素位置関係が表示素子２４の有効領域に表示された画像の該有効領域内における画素位置関係に対して拡大された相似形状をなすようにＲＧＢの各波長の光を回折するようにしてもよい。
【００３０】
各波長の光は使用者の網膜上に高速で順次結像されるため、使用者は、表示素子２４による生成画像をカラー画像として認識することとなる。なお、使用者の眼と表示素子２４との実際の距離は数十ｍｍ程度に過ぎない。しかし、各波長の光は略平行光として眼球に入射されるため、使用者は、無限遠視したときに表示素子２４による生成画像を明瞭に視認することができる。また、体積位相型の反射型ＨＯＥであるＨＯＥ３２Ｒ、３２Ｌは回折効率の半値幅が狭く外界像の光の透過率が高い。そのため、使用者は、外界像を表示素子２４の表示画像と共に明瞭に観察することができる。
【００３１】
なお、本実施形態においては、右眼用、左眼用の表示素子を別個に備えること無く単板の表示素子２４を備える構成が採用されている。このため、製造コストダウン等の効果が得られる。また、共通の物点からの光（すなわち単板の表示素子２４の画像）を左右で同じ光路長を経て使用者の各眼に導光している。このため、使用者の各眼に対して同期した画像を入射させることができる。
【００３２】
ところで、ＨＯＥ３２Ｒ、３２Ｌ、５２Ｒ、５２Ｌは反射型ＨＯＥであり、入射される各波長の光を所定角度で回折することは先に述べた通りである。かかるＨＯＥ３２Ｒ、３２Ｌ、５２Ｒ、５２Ｌは、次に説明する製造プロセスを経て作製されることによって、フォトポリマーの熱収縮により回折角が設計上の角度から変化する割合が軽減されている。なお、以下においては説明の便宜上、干渉縞の記録に使用される光は単色レーザであり、フォトポリマー層も一層のみ示す。実際には、従来から知られるように（例えば特許文献１の図５に示されるように）、回折させる各波長の光に対応した（例えばＲＧＢの各波長の光を重畳させた）レーザ光が使用される。各波長の光に対する回折機能を別個のフォトポリマー層に付与する場合には、特許文献１の図５と同じく各フォトポリマー層を積層させた状態で干渉縞の記録が行われることとなる。
【００３３】
図３を用いて、ＨＯＥ３２Ｒ、３２Ｌ、５２Ｒ、５２Ｌ（以下、説明の便宜上「反射型ＨＯＥ１００」と記す。）の製造プロセスを説明する。図３（ａ）に示されるように、反射型ＨＯＥ１００を作製するため、ガラス基板１０１上にフォトポリマー層（記録層）１０２が塗布される。さらに、フォトポリマー層１０２上に樹脂フィルムなどの保護層１０３がラミネートされる。
【００３４】
次いで、図３（ｂ）に示されるように、互いに角度をなす同一波長の２光束がフォトポリマー層１０２に入射される。具体的には、第一の光束Ｌ１（ここではＲ、Ｇ、Ｂの何れかの波長の光）がフォトポリマー層１０２の入射面１０２ａに垂直に入射されると同時に、第二の光束Ｌ２（第一の光束Ｌ１と同一波長の光）がフォトポリマー層１０２の入射面１０２ｂに入射角θ１（屈折角θ１’）で入射される。このときフォトポリマー層１０２中で第一の光束Ｌ１と第二の光束Ｌ２とが干渉することにより生じた光強度の空間分布に従いモノマーが重合してフォトポリマーが凝集する。なお、図３（ｂ）において、当該製造プロセスの特徴を明瞭化して説明する便宜上、フォトポリマー層１０２と他の層との境界以外における光束の屈折は図示省略している。また、フォトポリマー層１０２内部を進む第二の光束Ｌ２の延長線を一点鎖線で示している。
【００３５】
モノマーの重合反応を促進させるためベーキング処理が行われる。これにより、干渉縞が屈折率格子としてフォトポリマー層１０２に記録される。より詳細には、干渉縞は、設計上（理想的には）、フォトポリマー層１０２内部において第一の光束Ｌ１と第二の光束Ｌ２とがなす角度に対応する方向に、第一の光束Ｌ１および第二の光束Ｌ２の波長に対応するピッチ（当該波長の１／２）でフォトポリマー層１０２に記録される。しかし、干渉縞が記録される方向（干渉縞がフォトポリマー層１０２の入射面１０２ａ（又は１０２ｂ）に対してなす角度）は、実際にはベーキング処理時のフォトポリマーの熱収縮により、上記の設計上の方向（角度）から変化する。
【００３６】
具体的には、フォトポリマー層１０２は、入射面１０２ａ、１０２ｂがそれぞれ、ガラス基板１０１、保護層１０３に接着等されている。ガラス基板１０１、保護層１０３は共に、フォトポリマー層１０２と比べて線膨張率が低く、ベーキング処理時に実質的に寸法が変動しない。そのため、フォトポリマー層１０２は、ガラス基板１０１や保護層１０３との接着面に平行な平面方向には実質的に熱収縮せず、膜厚方向にのみ熱収縮する。膜厚方向への収縮が支配的になることにより、干渉縞のピッチが第一の光束Ｌ１や第二の光束Ｌ２の波長の１／２よりも小さくなるだけでなく、図３（ｃ）に示されるように、干渉縞が入射面１０２ａ（又は１０２ｂ）に対してなす角度が角度θ２（熱収縮前）から角度θ３（熱収縮後）に変化する。なお、図３（ｃ）においては、熱収縮を考慮しない場合にフォトポリマー層１０２に記録される干渉縞を破線で、熱収縮を考慮した場合にフォトポリマー層１０２に記録される干渉縞を実線で、それぞれ示している。
【００３７】
ここで、本出願人は、種々の検証、測定等を行い、角度θ２（干渉縞が入射面１０２ａ（又は１０２ｂ）に対してなす角度）が小さいほどフォトポリマーの熱収縮に起因して干渉縞の角度が設計上の角度から変化する割合が大きいことを見出している。干渉縞の角度の変化率が大きいほど回折角の変化率が、つまり誤差が大きくなり、表示素子２４の表示画像を使用者の瞳により一層正しく（効率良く）導くことができなくなる。そこで、本出願人は、回折角の変化率を、換言すると干渉縞の角度の変化率を軽減すべく、意図的に、角度θ２が大きくなるようにフォトポリマー層１０２に記録される干渉縞の角度を設定している。
【００３８】
角度θ２を大きくして画像性能の劣化（ここでは使用者の瞳に導光される光の利用効率の低下など）を抑えるためには、反射型ＨＯＥ１００の作製時において、例えば第一の光束Ｌ１をフォトポリマー層１０２の入射面１０２ａに垂直に入射させる場合に、第二の光束Ｌ２を入射面１０２ｂに屈折角θ１’が６０（ｄｅｇ）以上となる入射角で入射させて干渉縞を記録させる。別の表現によれば、フォトポリマー層１０２内部において第一の光束Ｌ１と第二の光束Ｌ２とがなす角度（図３（ｂ）中、角度θ４）を１２０（ｄｅｇ）以下に規定して干渉縞を記録させる。その結果出来上がる反射型ＨＯＥ１００は、特定波長の光（干渉縞の記録に使用された第一の光束Ｌ１、第二の光束Ｌ２と略同一波長の光）を６０（ｄｅｇ）以上の回折角（設計上の回折角であり、実際にはフォトポリマーの熱収縮により変化する。）で回折する干渉縞を持つこととなる。換言すると反射型ＨＯＥ１００は、入射面１０２ａ（又は１０２ｂ）に対してなす角度θ２が３０（ｄｅｇ）以上である干渉縞を持つこととなる。ここで、疑義が生じるのを避けるため、回折角は、反射型ＨＯＥ１００により反射、回折された回折光が反射型ＨＯＥ１００の入射面の法線となす角度であることを明示しておく。
【００３９】
フォトポリマーの熱収縮率は一般に１〜５％程度である。回折角が特許文献１に記載の４５（ｄｅｇ）、つまりＨＭＤの技術分野において一般的に採用される回折角より大きい６０（ｄｅｇ）となるように反射型ＨＯＥ１００を作製する場合を例に考える。この場合、反射型ＨＯＥ１００による回折角は６０（ｄｅｇ）（熱収縮前であって、設計上の回折角）から５８．５０（ｄｅｇ）（熱収縮後）に変化する。このときの回折角の変化率は２．４９９％に、つまり２．５％以下に抑えられる。一方、回折角が４５（ｄｅｇ）となるように反射型ＨＯＥ１００を作製する場合を例に考える。この場合、反射型ＨＯＥ１００による回折角は４５（ｄｅｇ）（熱収縮前であって、設計上の回折角）から４３．７８（ｄｅｇ）（熱収縮後）に変化する。このときの変化率は２．７１％であり、２．５％を超える。
【００４０】
すなわち、フォトポリマー層１０２内部において第一の光束Ｌ１と第二の光束Ｌ２とがなす角度θ４を１２０（ｄｅｇ）以下に規定して反射型ＨＯＥ１００を作製した場合には、回折角の変化率が２．５％以下に抑えられる。回折角の変化率が２．５％以下である場合には、使用者の瞳に導光される光の利用効率の低下が良好に抑えられる。別の側面によれば、回折角の変化率を考慮するまでもなく光利用効率の高いＨＭＤが提供可能である。一方、回折角の変化率が２．５％を超える場合には、使用者の瞳に導光される光の利用効率が急激に低下する。特に回折角の半値幅が狭い反射型ＨＯＥ１００を用いた場合には、回折角の変化率が２．５％を超えたときの光利用効率の低下がより一層著しい。別の側面によれば、光利用効率の高いＨＭＤを提供するためには、回折角の変化率を予め考慮した設計を行う必要があり、設計開発時の負担が増大する。
【００４１】
上記のように第一の光束Ｌ１と第二の光束Ｌ２との角度を１２０（ｄｅｇ）以下に規定することにより、フォトポリマーの熱収縮に起因する回折角（別の表現によれば干渉縞の角度）の変化率が良好（２．５％以下）に抑えられるため、画像性能の劣化が軽減される。第一の光束Ｌ１と第二の光束Ｌ２とが干渉する範囲内の角度条件（例えば境界条件により第一の光束Ｌ１、第二の光束Ｌ２の何れもが全反射せずにフォトポリマー層１０２に入射される角度条件）を満たすことを前提として、第一の光束Ｌ１と第二の光束Ｌ２とがなす角度θ４が小さいほど（つまり回折角が大きくなるように設計するほど）回折角の変化率がより一層抑えられるため好適である。例えば回折角が８０（ｄｅｇ）となるように反射型ＨＯＥ１００を作製する場合を考える。この場合、ＨＯＥによる回折角は８０（ｄｅｇ）（熱収縮前であって、設計上の回折角）から７８．２８６（ｄｅｇ）（熱収縮後）に変化する。このときの回折角の変化率はより一層小さい２．１４％に抑えられ効果的である。
【００４２】
なお、フォトポリマーを用いて作製されたＨＯＥにおいては、一般に、フォトポリマー層の厚さとＨＯＥがもつ波長選択性との間に反比例の関係が成り立つ。フォトポリマー層が厚くなるほど、ＨＯＥにより反射（又は透過）される光の波長範囲は、導波路の原理に基づき狭くなる。光利用効率の観点によれば、フォトポリマー層が厚いほど好適である。回折角の変化率が少ないことはフォトポリマー層の収縮を抑制することに寄与するため、本実施形態によれば、光利用効率に有利なＨＯＥが提供されることとなる。
【００４３】
ＨＯＥによる回折角を大きくするほど熱収縮時の回折角の変化率が低いことは、既に説明した通りである。ここで、回折角の変化率が２．５％を超えた場合の振る舞いについて、次の式、
Δλ＝λ２／ｎｔ（１−ｃｏｓθ）
を用いて、熱収縮前と熱収縮後のそれぞれの波長窓の変化率を計算する。
すると、θ＝６０（ｄｅｇ）のときには１．２３４５であり、θ＝８０（ｄｅｇ）のときには１．０３７である。両者を比較すると、後者の方が波長窓の変化率が明らかに低いことから、回折角が大きいほど好適であることが分かる。なお、ここでいう波長窓とは、各回折角度に対応する回折可能な波長幅を示す。すなわち、波長窓の変化率が少ないほど再生波長が反射（又は透過）される帯域が広い（重なる部分が広い）ことになる。
【００４４】
以上のように、本出願人は、ＨＯＥの角度θ２を意図的に大きく設定することにより、フォトポリマーの熱収縮に起因する回折角の変化率が良好に抑えられて画像性能の劣化が軽減されることを見出した。本出願人は、ＨＯＥに入射された入射光に対する射出光のバランスや製造容易性などに優れるため回折角４５（ｄｅｇ）付近のＨＯＥが採用されていたＨＭＤの技術分野の技術常識の殻を破り、画像性能の劣化の少ないＨＯＥを具現化すべく、当該分野において従来採用し得なかった回折角６０（ｄｅｇ）以上のＨＯＥをＨＭＤに採用することを着想するに至っている。
【００４５】
回折角６０（ｄｅｇ）以上のＨＯＥをＨＭＤに採用した場合には、次に説明する更なる効果が得られる。すなわち回折角を大きくすることにより、例えば導光板１０を薄型化させた場合であっても、導光板１０の第一面１０ａ又は第二面１０ｂ上で反射される表示素子２４の画像光の反射ポイントが重ならない設計が可能である。つまり、回折角を大きくした場合には導光板１０の薄型化が可能である。導光板１０の薄型化により、眼鏡型フレーム２が掛かる耳や鼻を支点とした前廻りのモーメントが低減して、使用者の身体的疲労が軽減される。また、回折角を大きくすることにより、導光板１０内部を伝搬される表示素子２４の画像光の反射回数を削減することができる。反射回数の削減により導光板１０内部を伝搬される画像光の光路が短くなるため、内部拡散による光量損失が低減する。このため使用者は低損失の明るい画像を観察することができる。
【００４６】
次に、これまで説明されたＨＭＤ１の具体的数値実施例を説明する。本実施例のＨＭＤ１の数値構成（設計値）は次の通りである。
λＢ            ：４５７
λＧ            ：５３２
λＲ            ：６３３
ｎＢ            ：１．７２７５０
ｎＧ            ：１．７０４４２
ｎＲ            ：１．６９４２６
ＬＲ            ：２６．６
ＬＬ            ：２６．６
ｔ              ：３．０
θ’ＩＢ        ：０
θ’ＩＧ        ：０
θ’ＩＲ        ：０
θ’ＤＢ、θ”ＩＢ：７７．０
θ’ＤＧ、θ”ＩＧ：７７．０
θ’ＤＲ、θ”ＩＲ：７７．０
θ”ＤＢ        ：０
θ”ＤＧ        ：０
θ”ＤＲ        ：０
「λＢ」、「λＧ」、「λＲ」はレーザ光源２１から発光されて使用者の眼に導光されるＢ、Ｇ、Ｒの各光の波長（単位：ｎｍ）、「ｎＢ」、「ｎＧ」、「ｎＲ」はＢ、Ｇ、Ｒの各波長の光に対する導光板１０の屈折率、「ＬＲ」はＨＯＥ３２Ｒの中心を通る法線ＸＲと中心線Ｘとの距離（単位：ｍｍ）、「ＬＬ」はＨＯＥ３２Ｌの中心を通る法線ＸＬと中心線Ｘとの距離（単位：ｍｍ）、をそれぞれ示す。さらに、「ｔ」は導光板１０の厚み（単位：ｍｍ）、「θ’ＩＢ」、「θ’ＩＧ」、「θ’ＩＲ」はＨＯＥ５２Ｒ、５２ＬへのＢ、Ｇ、Ｒの各波長の光の入射角（単位：ｄｅｇ）、「θ’ＤＢ」、「θ’ＤＧ」、「θ’ＤＲ」はＨＯＥ５２Ｒ、５２ＬによるＢ、Ｇ、Ｒの各波長の光の回折角（単位：ｄｅｇ）、「θ”ＩＢ」、「θ”ＩＧ」、「θ”ＩＲ」はＨＯＥ３２Ｒ、３２ＬへのＢ、Ｇ、Ｒの各波長の光の入射角（単位：ｄｅｇ）、「θ”ＤＢ」、「θ”ＤＧ」、「θ”ＤＲ」はＨＯＥ３２Ｒ、３２ＬによるＢ、Ｇ、Ｒの各波長の光の回折角（単位：ｄｅｇ）を、それぞれ示す。また、ＨＯＥ３２Ｒ、３２Ｌは５．５ｍｍ幅、ＨＯＥ５２Ｒ、５２Ｌは５．２ｍｍ幅を有する。なお、各ＨＯＥの奥行き寸法（上記の幅（図２の紙面）に直交する方向の寸法）は、表示素子２４の有効領域や表示される画面サイズ等に応じて適宜決められる。このように、ＨＯＥ５２Ｒ、５２Ｌによる各波長の光の回折角は、フォトポリマーの熱収縮による回折角の変化率を効果的（２．５％以下）に抑えるべく、６０（ｄｅｇ）以上であることが考慮されて設定されている。
【００４７】
なお、ガラス基板１０１、フォトポリマー層１０２、保護層１０３の各層を構成する材料として、屈折率がｎ＝１．５２（ＢＫ７相当）のものが選択されている。次の式
ｎ１ｓｉｎθ１＝ｎ２ｓｉｎθ２
の右辺に、使用波長の略中心に相当する波長λＧの値を代入すると、導光板１０内部を実際に伝搬する光の回折角度は凡そ６０．６ｄｅｇである。ＨＯＥ５２Ｒ、５２Ｌによる各波長の光の回折角が大きいため、例えば導光板１０を薄型化（別の側面によれば軽量化）させた場合であっても、導光板１０の第一面１０ａ又は第二面１０ｂ上で反射される表示素子２４の画像光の反射ポイントが重ならない設計が実現される。また、導光板１０内部を伝搬される表示素子２４の画像光の反射回数が削減されて（例えば本実施例では５回）、導光板１０内部を伝搬される画像光の光路が短くなるため、内部拡散による光量損失が抑制される。
【００４８】
このように本実施例においては、各波長の光の回折角が６０（ｄｅｇ）以上であるため、フォトポリマーの熱収縮による回折角の変化率が効果的（２．５％以下）に抑えられている。そのため、回折角の変化率を考慮した設計を行わない場合も、表示素子２４の画像が使用者の瞳に高い利用効率で導かれる。別の側面によれば、回折角を大きく設定したことによる導光板１０の薄型化、表示素子２４の画像光の光量損失低減が達成される。
【００４９】
以上が本発明の実施形態の説明である。本発明は、各実施形態の構成および具体的数値構成等に限定されるものではなく、本発明の技術的思想の範囲において様々な変形が可能である。例えばＬＲとＬＬの合計距離が使用者の眼幅に高精度に一致するように各実施形態の具体的数値構成を適宜選択する。これにより、使用者の眼幅に最適な位置から各波長の光が射出されるようにＨＭＤ１を構成することができる。
【００５０】
ＨＯＥ３２Ｒ、３２Ｌ、５２Ｒ、５２Ｌは、例えば透過型ＨＯＥであってもよい。かかる場合、ＨＯＥ５２Ｒ、５２Ｌは、例えば表示素子ユニット２０に対向する導光板１０の第一面１０ａ上に積層された状態で密着固定され、表示素子ユニット２０からの各波長の光を導光板１０内部で全反射させてＨＯＥ３２Ｒ又は３２Ｌに伝搬されるように回折する。ＨＯＥ３２Ｒ、３２Ｌは、例えば使用者の瞳に対向する導光板１０の第二面１０上に密着固定され、導光板１０内部を伝搬された各波長の光を使用者の瞳に向かって回折する。
【００５１】
また、表示素子ユニット２０が有する光源２１は、例えばＲ、Ｇ、Ｂの各波長の光を高速で順次照射するＬＥＤ又はＬＤ（半導体レーザ）バックライトとしてもよい。
【符号の説明】
【００５２】
１  ＨＭＤ
２  眼鏡型フレーム
１０  導光板
２０  表示素子ユニット
３２Ｒ、３２Ｌ、５２Ｒ、５２Ｌ  ＨＯＥ
１００  反射型ＨＯＥ
１０１  ガラス基板
１０２  フォトポリマー層
１０３  保護層
【図１】
2010204397.tif 000003
【図２】
2010204397.tif 000004
【図３】
2010204397.tif 000005